(57)【要約】【課題】  ホール側の営業方針に従って出玉の確定や粗利の確保を確実かつ容易にでき、しかも、ホール側が設定した通りの金額で遊技者に勝たせることも可能とする。【解決手段】  スロットマシン１の制御手段３０において、内部抽選で大当たりに当選すると、この当選がストックされる。次いで、放出条件が抽選され、放出状態であれば、大当たり停止可能制御へ移行する。ここで、遊技者の操作手順が放出条件に一致していると、放出状態へ移行し、ストックされていた大当たりに係るボーナスゲームが実行される。【選択図】      図１５ａ
2005066101.tif 000002
【特許請求の範囲】
【請求項１】
内部抽選によって所定の特別ゲームが当選する毎に、その当選をストック状態にすることが可能なスロットマシンであって、
出玉の推移を設定する出玉設定処理と、
前記内部抽選の結果、前記特別ゲームに当選すると、この当選した状態をストックする当選ストック処理と、
前記設定された出玉の推移にもとづいて、放出状態へ移行すべきか否かを判断する放出状態移行判断処理と、
この放出状態移行判断処理で前記放出状態へ移行すべきと判断されると、前記放出状態へ移行する放出状態移行処理と
を実行する制御手段を有した
ことを特徴とするスロットマシン。
【請求項２】
前記放出状態が、ストックされた当選に係る特別ゲームが実行される状態、及び、前記特別ゲームを実行するための所定の制御が行われる状態を含む
ことを特徴とする請求項１記載のスロットマシン。
【請求項３】
前記放出状態移行判断処理が、
前記設定された出玉の推移にもとづいて、前記放出状態へ移行すべきか否かを判断する放出状態移行判断段階と、
前記特別ゲームを実行するための遊技者の操作手順を決定する操作手順決定段階と、
前記遊技者による操作が前記操作手順決定段階で決定された操作手順の通りに行われたか否かを判断する操作手順判断段階とを含み、
前記放出状態移行処理が、
前記放出状態移行判断処理における前記放出状態移行判断段階で前記放出状態へ移行すべきと判断され、かつ、前記操作手順判断段階で前記遊技者による操作が前記操作手順決定段階で決定された操作手順の通りに行われているものと判断されると、前記放出状態へ移行する放出状態移行段階を含む
ことを特徴とする請求項１又は２記載のスロットマシン。
【請求項４】
前記放出状態移行判断処理が、
前記放出状態移行判断段階で前記放出状態へ移行すべきと判断されると、前記操作手順判断段階の実行前に、前記放出状態移行判断処理の前記操作手順決定段階で決定された操作手順を遊技者に対して指示する操作手順指示段階を含む
ことを特徴とする請求項３記載のスロットマシン。
【請求項５】
前記特別ゲームを実行するための所定の制御が、回胴回転停止制御を含み、
前記放出状態移行判断処理の前記操作手順決定段階で決定される前記遊技者の操作手順が、複数のストップボタンの押下順序からなる
ことを特徴とする請求項３又は４記載のスロットマシン。
【請求項６】
前記出玉設定処理が、
総アウト数及び／又は粗利に関する期待値を入力する期待値入力段階と、
前記期待値にもとづいて、スランプグラフを一又は二以上作成するスランプグラフ作成段階と、
前記スランプグラフを表示するスランプグラフ表示段階と、
前記一又は二以上のスランプグラフの中から、一のスランプグラフを、前記出玉の推移として設定する出玉設定段階とを含む
ことを特徴とする請求項１〜５のいずれかに記載のスロットマシン。
【請求項７】
前記制御手段が、
前記放出状態移行判断処理において、前記出玉設定処理で設定された一のスランプグラフにもとづき、前記放出状態へ移行すべきか否かを判断する
ことを特徴とする請求項６記載のスロットマシン。
【請求項８】
前記総アウト数及び／又は粗利に関する期待値を入力する入力部と、
前記期待値を記憶する記憶部と、
前記期待値にもとづいて、前記スランプグラフを一又は二以上作成する演算部と、
前記スランプグラフをグラフ及び／又は表として表示する表示部と、
前記一又は二以上のスランプグラフの中から一のスランプグラフを選択する制御手段と
を有するスランプグラフ作成・管理手段を備えた
ことを特徴とする請求項６又は７記載のスロットマシン。
【発明の詳細な説明】
【技術分野】
【０００１】
本発明は、所定の特別ゲームを実行するか否かを内部抽選によって決めるスロットマシンに関し、特に、内部抽選による特別ゲームの当選の確率を設定可能なスロットマシンに関する。
【背景技術】
【０００２】
スロットマシンは、一般に、遊技者が遊技用のメダルを投入してスタートレバーを押下することにより、図柄を表示した複数の回胴（通常は三つの回胴）が回転を開始し、続いて遊技者が任意のタイミングでストップボタンを押すと各回胴が順次停止し、停止した回胴の図柄の配列によって各種入賞が決定され、この入賞内容に応じて、メダルの払い出しや入賞確率の高く設定された特別ゲームへの移行などが行われる遊技機である。
【０００３】
このスロットマシンには、通常、特別ゲーム（大当たり（例えば、「７，７，７」等）や中当たり（例えば、「ＢＡＲ，ＢＡＲ，ＢＡＲ」等）など）に当選する確率が設定されている。この設定（通常は６段階）は、確率を示す値が高いほど特別ゲームに当選しやすくなり、このために遊技者に対する出玉が多くなることを示すものである。
【０００４】
ところで、遊技機が複数設置された遊技ホールの経営者（以下、「ホール側」という。）にとって、遊技機の出玉に関するデータを管理することは、経営戦略上、非常に重要なことである。
例えば、アウト玉からセーフ玉を引いたものを差玉というが、差玉が「＋」の場合は、遊技者が負けていることを意味し、「−」の場合は、遊技者が勝っていることを意味する。このことをホール側の立場で言うと、差玉が「＋」の場合は、ホール側に利益があることを意味し、「−」の場合は、ホール側が損失していることを意味する。
【０００５】
このように出玉は、ホール側の利益に直接関わってくる重要なデータである。このため、ホール側は、所期の営業計画により近い出玉の実績が得られることを期待している。そこで、出玉の調整をスロットマシン上で行うことを可能とする技術が提案されている。
例えば、入賞の態様として、比較的発生しやすい第一賞態様と、発生し難いものの発生すると多数の遊技媒体を獲得できる第二賞態様とを有し、遊技者が投入する遊技媒体の投入数と、賞として排出される遊技媒体の払出数との関数で表される割数によって設定された第二賞態様の発生状態を遊技媒体の投入数によって変化させるものがある（例えば、特許文献１参照、第一の従来技術。）。
【０００６】
このような構成によれば、各種賞態様の発生に変化をもたらすことができるため、遊技者に興趣をもたせることができるとともに、ホール側にとっても、所期の営業実益を期待でき、これにより、営業用として価値の高いスロットマシンを提供できる。
【０００７】
また、一般に、遊技ホールに設置されたスロットマシンは、いわゆるスランプ状態がグラフあるいは表として管理されている。
スランプグラフとは、投入された遊技媒体数と払い出された遊技媒体数との差（得失数すなわち差玉）の経時変化（あるいは、投入された遊技媒体に対する差玉の変化）を示すグラフである。
【０００８】
このスランプグラフを用いて、ホール側は、適宜（一日の営業終了時等に）スロットマシンのペイアウト率（投入コインに対する払出しコインの比率の制御目標値）の設定変更を行うことができる。
しかも、各スロットマシンごとの売上により、以後もその機種を設置するか否か、設置場所は適当かどうかなどの各種の経営上の判断も行うことができる。
【０００９】
このスランプグラフは、遊技場において各台を制御するホールコンピュータ等により自動的に求められ適宜記憶されるようになっている。
ところが、スランプグラフは、ホールコンピュータのディスプレイ等にのみ一括して表示されるのが通常であり、一般に遊技客はこれを見ることができなかった。
【００１０】
そこで、各台にそれぞれのスランプグラフを表示する技術が提案されている。
例えば、遊技機の前面に管理データを表示する機能を有したものがある（例えば、特許文献２〜特許文献１１参照、第二の従来技術。）。
この技術によれば、遊技機の正面に設けられた専用の表示機に、スランプグラフを表示させることができる。
【特許文献１】特開平２−１６１９７２号公報（第１−７頁）
【特許文献２】特開平５−１７７０４８号公報（第１０図）
【特許文献３】特開平５−１８４７１８号公報（第１０図）
【特許文献４】特開平５−１８４７１９号公報（第１０図）
【特許文献５】特開平８−２３８３７９号公報（第１０図）
【特許文献６】特開平８−２７６０６２号公報（第１０図）
【特許文献７】特開平８−３２３０２８号公報（第１０図）
【特許文献８】特開平８−２６６７３５号公報（第１０図）
【特許文献９】特開平９−１９２３３２号公報（第１０図）
【特許文献１０】特開平６−０２３０９１号公報（第２−３頁、第３図）
【特許文献１１】特開平３−２３４２７４号公報（第１−７頁、第３−４図）
【発明の開示】
【発明が解決しようとする課題】
【００１１】
しかしながら、第一の従来技術においては、遊技媒体の投入数と、遊技媒体の払出数と、これらを用いて算出される割数とにもとづいて、第二賞態様の実行が制御されるため、出玉の調整は可能となるものの、その割数にもとづいて作成したスランプグラフは単調となるため、ゲーム性の乏しいスロットマシンとなっていた。
さらに、第一の従来技術で扱う割数は売上に関係した数値であるが、売上は粗利とは関係ないものであった。ところが、ホール側としては、粗利の増加が営業上求められるものであるため、その粗利を反映したスランプグラフを作成できる技術の提案を期待していた。
【００１２】
また、第二の従来技術におけるスロットマシンの表示機は、過去に行われたゲームに関する各種データの集計結果としてスランプグラフを表示するために設けられたものであった。このため、その表示されるスランプグラフは、過去に行われたゲームの実績は表すことができるものの、今後の営業計画を反映した出玉（あるいは差玉）の推移予定や、この出玉推移予定に関する各種データを示すことはできなかった。
このため、その表示されるスランプグラフを、実行中のゲームにおける出玉の調整に用いることはできなかった。
【００１３】
さらに、スロットマシンのメイン制御基板で抽選される特別ゲーム（例えば、大当たりや中当たり等）は、設定値により当選確率が変わるだけであった。つまり、完全確率で抽選している以上、粗利がホール側の期待通りになるとは限らなかった。
このため、遊技者が黒字でホール側が赤字になる営業を行う場合（例えば新台入替時、グランドオープン時）には、スロットマシンの設定値を高く設定するものの、本来期待している差玉にならないことが多々あった。
【００１４】
その一方で、ホール側が回収したい場合には、設定値を低く設定するが、いくら設定値を低くしてもホール側が赤字になることが有り得た。このため、ホール側は、毎日や毎月の営業計画において、どのような設定値で営業するか非常に苦心していた。
しかも、内部抽選では当たりとはずれを抽選しているため、出たり飲まれたりを繰り返すスロットマシンとなっていた。このため、遊技者が興味を損ない、早期に遊技をやめてしまうことも考えられるため、売上が減少することも危惧されていた。
【００１５】
本発明は、上記の事情にかんがみなされたものであり、ホール側の営業方針に従った出玉の確定を可能とするとともに、ホール側の粗利確保を確実かつ容易にでき、しかも、ホール側が設定した通りの金額で遊技者に勝たせることも可能とするスロットマシンの提供を目的とする。
【課題を解決するための手段】
【００１６】
この目的を達成するため、本発明の請求項１記載のスロットマシンは、内部抽選によって所定の特別ゲームが当選する毎に、その当選をストック状態にすることが可能なスロットマシンであって、出玉の推移を設定する出玉設定処理と、内部抽選の結果、特別ゲームに当選すると、この当選した状態をストックする当選ストック処理と、設定された出玉の推移にもとづいて、放出状態へ移行すべきか否かを判断する放出状態移行判断処理と、この放出状態移行判断処理で放出状態へ移行すべきと判断されると、放出状態へ移行する放出状態移行処理とを実行する制御手段を有した構成としてある。
【００１７】
スロットマシンをこのような構成とすると、予め設定された出玉の推移にもとづいて、放出状態へ移行するか否か、すなわち特別ゲームを実行するか否かを決定できる。
例えば、出玉の推移において、プラス（＋）の増加する方向へ推移していた差玉がマイナス（−）の増加する方向へ転じたときは、放出状態へ移行する旨すなわち特別ゲームを実行する旨を決定する。
一方、出玉の推移において、その後も差玉がプラス（＋）の増加する方向へ推移しているときは、放出状態へ移行しない旨すなわち特別ゲームを実行しない旨を決定する。
【００１８】
このように、ホール側の営業方針にもとづいた出玉の推移を予め設定しておくと、その推移通りに、スロットマシンで特別ゲームの実行時期が図られ出玉が制御される。このため、ホール側が当初予定していた出玉を、実績値の出玉として確定させることができ、これにより、ホール側の粗利確保を容易かつ確実なものとすることができる。
さらに、グランドオープン時には通常営業より割数を高く設定し、遊技者に勝たせて遊技ホールのイメージアップを図るが、その日に勝たせる金額はホール側で予め決めているため、その金額になるように出玉の推移を設定することも可能となる。
【００１９】
しかも、内部抽選で当選した旨がストックされるため、スロットマシンの設定（大当たりや中当たりの当選確率）を加味することができる。
このため、設定（いわゆる６段階の設定）により、ある程度特別ゲームの当選確率を定めておき、出玉推移の設定により、その入賞タイミングを図って所期の出玉を獲得することができる。
【００２０】
なお、本発明において、「当選」と「内部当たり」とは同じ意味であって、どちらも「内部抽選で特別ゲームに当たる」ことを表す言葉である。
また、本発明において、「ストック」には、「貯留」，「保留」，「蓄積」を含む。
【００２１】
また、請求項２記載のスロットマシンは、放出状態が、ストックされた当選に係る特別ゲームが実行される状態、及び、特別ゲームを実行するための所定の制御が行われる状態を含む構成としてある。
スロットマシンをこのような構成とすれば、放出状態が、それまでにストックされた特別ゲームの実行される状態や、この特別ゲームを実行するための所定の制御（例えば、回胴回転停止制御など）の実行される状態を含むため、この放出状態へ移行するか否かの判断を行えるようにすることで、特別ゲームを実行する場合と実行しない場合とを調整できる。
【００２２】
そして、その放出状態へ移行するか否かの判断を、予め設定しておいた出玉の推移にもとづいて行うことで、その推移にあわせて、特別ゲームを実行したりしなかったりすることができる。
したがって、ホール側としては、当初予定していた出玉を実績として確定でき、これにより、粗利の確保を確実かつ容易に行うことができる。
【００２３】
なお、本発明において、「当選（内部当たり）」と「入賞」とは、それぞれ異なった意味で用いられる。
「当選（内部当たり）」とは、「内部抽選で特別ゲームに当たる」との意味であるのに対し、「入賞」とは、「内部抽選で特別ゲームに当たった後、回胴の停止図柄が入賞図柄となること」との意味である。
【００２４】
また、本発明において、「実行」には、一定の条件になるまで実行が待機される状態（待ち状態、待機状態）と、その後、一定の条件を満たしたことで実行に移った状態（実行中状態）とを含む。
さらに、「実行」には、一定の条件を満たしているかどうかにかかわらず、即実行される状態（例えば、アシストタイム）を含む。
【００２５】
また、請求項３記載のスロットマシンは、放出状態移行判断処理が、設定された出玉の推移にもとづいて、放出状態へ移行すべきか否かを判断する放出状態移行判断段階と、特別ゲームを実行するための遊技者の操作手順を決定する操作手順決定段階と、遊技者による操作が操作手順決定段階で決定された操作手順の通りに行われたか否かを判断する操作手順判断段階とを含み、放出状態移行処理が、放出状態移行判断処理における放出状態移行判断段階で放出状態へ移行すべきと判断され、かつ、操作手順判断段階で遊技者による操作が操作手順決定段階で決定された操作手順の通りに行われているものと判断されると、放出状態へ移行する放出状態移行段階を含む構成としてある。
【００２６】
スロットマシンをこのような構成とすると、遊技者の操作手順が所定の手順に合致しているときに、特別ゲームを実行させることができる。ただし、合致していないときには、特別ゲームを行うことができない。
これにより、スロットマシンに対する遊技者の興趣を高めることができ、しかも、遊技者は、放出状態へ移行できる段階にあることを知ることができる。
【００２７】
また、請求項４記載のスロットマシンは、放出状態移行処理が、放出状態移行判断処理で放出状態へ移行すべきと判断されると、操作手順判断段階の実行前に、放出状態移行判断処理の操作手順決定段階で決定された操作手順を遊技者に対して指示する操作手順指示段階を含む構成としてある。
【００２８】
スロットマシンをこのような構成とすれば、遊技者の操作手順が所定の手順に合致しているときに、特別ゲームを実行させることができる。しかも、遊技者は、スロットマシン上で指示された手順に従って操作を行えば、続けて特別ゲームを行うことができる。これにより、スロットマシンに対する遊技者の興趣をわかせることができる。
【００２９】
また、請求項５記載のスロットマシンは、特別ゲームを実行するための所定の制御が、回胴回転停止制御を含み、放出状態移行判断処理の操作手順決定段階で決定される遊技者の操作手順が、複数のストップボタンの押下順序からなる構成としてある。
【００３０】
スロットマシンをこのような構成とすると、遊技者によるストップボタンの操作手順が所定の手順に合致しているときに、特別ゲームを実行させることができる。特に、ストップボタンは複数（通常は三つ）備えられており、その押下順序は複数（ストップボタンが三つあるときは６パターン）考えられる。
これにより、スロットマシンの娯楽性を高めることができ、ひいてはスロットマシンに対する遊技者の興味・感心を高めることができる。
【００３１】
また、請求項６記載のスロットマシンは、出玉設定処理が、総アウト数及び／又は粗利に関する期待値を入力する期待値入力段階と、期待値にもとづいて、スランプグラフを一又は二以上作成するスランプグラフ作成段階と、スランプグラフを表示するスランプグラフ表示段階と、一又は二以上のスランプグラフの中から、一のスランプグラフを、出玉の推移として設定する出玉設定段階とを含む構成としてある。
【００３２】
スロットマシンをこのような構成とすれば、出玉の推移として作成されたスランプグラフにもとづいて、放出状態への移行や特別ゲームへの突入を制御できる。
このため、ホール側は、スロットマシンにおける実際の出玉を、そのスランプグラフで示された出玉の推移の通りに確定させることができる。
これにより、ホール側は、容易に粗利を確保でき、しかも、遊技者に勝たせる金額も当初の設定の通りとすることができる。
【００３３】
また、請求項７記載のスロットマシンは、制御手段が、放出状態移行判断処理において、出玉設定処理で設定された一のスランプグラフにもとづき、放出状態へ移行すべきか否かを判断する構成としてある。
スロットマシンをこのような構成とすると、出玉設定処理で設定された一のスランプグラフにもとづいて放出状態への移行を判断できる。つまり、ストックされた特別ゲームを、設定されたスランプグラフの示す出玉の推移にしたがって実行するように制御されるため、ホール側の意図するように出玉を推移でき、これにより、期待する粗利を容易に確保できる。
さらに、設定された一のスランプグラフにもとづいて特別ゲームを実行するか否かを制御できるため、遊技者が得られる金額を、開店当初予定していた金額に近づけることができる。
【００３４】
また、請求項８記載のスロットマシンは、総アウト数及び／又は粗利に関する期待値を入力する入力部と、期待値を記憶する記憶部と、期待値にもとづいて、スランプグラフを一又は二以上作成する演算部と、スランプグラフをグラフ及び／又は表として表示する表示部と、一又は二以上のスランプグラフの中から一のスランプグラフを選択する制御手段とを有するスランプグラフ作成・管理手段を備えた構成としてある。
【００３５】
スロットマシンをこのような構成とすれば、スロットマシンにおいて、総アウト数や粗利に関する期待値にもとづいたスランプグラフを作成・表示できる。
従来のスランプグラフは、実績としてのスランプグラフが、ホールコンピュータで集計・演算・表示されていた。
これに対し、本発明のスロットマシンにおいては、総アウト数や粗利に関する期待値に到達するために予定されたスランプグラフを作成できる。そして、この予定されたスランプグラフにしたがって、ストックされた特別ゲームを実行し、出玉を制御して、ホール側の営業方針に則した粗利の確保や遊技者への還元を実現できる。
【００３６】
しかも、本発明のスロットマシンにおいては、入力された期待値にしたがってスランプグラフを二以上作成できる。そして、ホール側は、それら二以上のスランプグラフの中から一のスランプグラフを任意に選択できる。
したがって、ホール側は、営業計画を実現するのに最も適した一のスランプグラフを選択することにより、期待した粗利の確保等を現実のものとすることができる。
【発明の効果】
【００３７】
以上のように、本発明によれば、予め設定された出玉の推移にもとづいて、放出状態へ移行するか否か、すなわち特別ゲームを実行するか否かを決定できる。このため、ホール側の営業方針にもとづいた出玉の推移を予め設定しておくことで、その推移通りに、出玉を制御できる。これにより、予め設定された出玉を実績値の出玉として確定させることができ、したがって、ホール側の粗利確保を容易かつ確実なものとすることができる。
【００３８】
さらに、グランドオープン時には通常営業より割数を高く設定し、遊技者に勝たせて遊技ホールのイメージアップを図るが、その日に勝たせる金額はホール側で予め決めているため、その金額になるように出玉の推移を設定することも可能となる。
【発明を実施するための最良の形態】
【００３９】
以下、本発明に係るスロットマシンの好ましい実施形態について、図面を参照して説明する。
【００４０】
［実施形態］
まず、本発明のスロットマシンの実施形態について、図１及び図２を参照して説明する。
図１は、本実施形態のスロットマシンの前面構成を示す正面図であり、図２は、その内部構造を示す斜視図である。
【００４１】
図１に示すように、スロットマシン１は、前扉１０に、メダル投入口１１と、メダルＢＥＴスイッチ１２と、ＭＡＸＢＥＴスイッチ１３と、スタートレバー１４と、ストップボタン１５ａ〜１５ｃと、表示窓１６と、入賞ライン１７とを有している。
【００４２】
ここで、メダル投入口１１は、ゲームに賭けられるメダルの受け入れ口であって、内部に、その投入されたメダルを検知するメダル検出部１１−１（後述）が設けられている。
メダルＢＥＴスイッチ１２は、後述する記憶部３１にストックされた貯留メダルを用いてゲームを行う場合に使用されるものであり、このメダルＢＥＴスイッチ１２の押下回数がゲームに賭けられる貯留メダルの投入枚数となる。
【００４３】
ＭＡＸＢＥＴスイッチ１３は、貯留メダルを投入するときに使用するものであり、一回押下するだけで、一回のゲームで投入可能な最多のメダル枚数（通常は三枚）を賭けることができる。
スタートレバー１４は、遊技者により操作されるとスタート信号を制御手段３０へ送る。このスタート信号を受け取った制御手段３０においては、メダル投入口１１に投入されたメダルの枚数、又は、メダルＢＥＴスイッチ１２やＭＡＸＢＥＴスイッチ１３を用いて賭けられたメダルの枚数が検知される。そして、後述する回胴２１ａ〜２１ｃの回転が開始される。
【００４４】
ストップボタン１５ａ〜１５ｃは、通常、回胴２１ａ〜２１ｃと同数設けられており、それぞれがＬＥＤ（図示せず）を有している。
ＬＥＤは、制御部３２からの点灯信号を受けて点灯する。この点灯によって、ストップボタン１５ａ〜１５ｃは、回転している回胴２１ａ〜２１ｃが停止可能な状態であることを遊技者に知らせる。
このため、ＬＥＤの点灯中においては、遊技者がストップボタン１５ａ〜１５ｃを押下することで、対応する回胴２１ａ〜２１ｃの回転が停止する。つまり、ＬＥＤが点灯していないときは、ストップボタン１５ａ〜１５ｃを押下しても、回胴２１ａ〜２１ｃの回転は停止しない。
【００４５】
表示窓１６は、回胴２１ａ〜２１ｃに描かれた複数の図柄のうち、連続する二以上の図柄を各回胴ごとに表示する。
入賞ライン１７は、表示窓１６に表示された図柄のうち、入賞の判断に用いられる図柄を特定するために引かれた線である。
【００４６】
また、スロットマシン１は、図２に示すように、内部に、ドラムユニット２０と、制御手段３０と、スランプグラフ作成・管理手段４０とを有している。
ドラムユニット２０は、回胴２１ａ〜２１ｃを有しており、制御部３２からのパルス（駆動）信号にもとづき、回胴２１ａ〜２１ｃの回転の始動、定速回転及び停止の制御を行う。
【００４７】
また、ドラムユニット２０は、各回胴２１ａ〜２１ｃに付されたマーカー（原点）を認識し、マーカー信号を制御部３２へ送る。
回胴２１ａ〜２１ｃは、外周に複数の図柄を配した円柱状のリールであり、一台のスロットマシン１に通常三つ（又は四つ以上）設けられている。
【００４８】
なお、本発明における回胴は、図２に示すように、回胴（左）２１ａ、回胴（中）２１ｂ及び回胴（右）２１ｃからなるものとする。
ただし、本発明のスロットマシンは、回胴を四つ以上有するスロットマシンにおいても、適用可能である。
【００４９】
制御手段３０は、スロットマシン１の構成各部を制御する。この制御手段３０は、図３に示すように、記憶部３１と、制御部３２とを有している。
記憶部３１は、貯留メダルの枚数（貯留枚数），図柄配列，回胴制御テーブル，入賞図柄及びその抽選値などを記憶する。
【００５０】
また、記憶部３１は、内部抽選で大当たりや中当たりが当選すると、それら当選した旨をストックする。
具体的には、例えば、大当たりが当選すると、大ストックカウントが１加えられる。また、中大当たりが当選すると、中ストックカウントが１加えられる。
そして、大当たりに係るビッグボーナスゲームが実行されると大ストックカウントが１減ぜられる。また、中当たりに係るボーナスゲームが実行されると中ストックカウントが１減ぜられる。
【００５１】
さらに、記憶部３１は、放出条件を記憶する。
放出条件とは、放出状態（後述）へ移行するための条件である。この放出条件としては、例えば、遊技者の操作手順（ストップボタン１５ａ〜１５ｃの押下順序など）が挙げられる。
【００５２】
この放出条件が遊技者の操作手順の場合、この放出条件は、実際に行われた遊技者による操作の手順と照合される。
具体的には、放出条件が、左のストップボタン１５ａ→右のストップボタン１５ｃ→中のストップボタン１５ｂの手順で押下されることとしている場合、遊技者がその押下手順の通りにストップボタン１５ａ〜１５ｃを押下したときには、放出状態へ移行される。一方、遊技者がその押下手順の通りにストップボタン１５ａ〜１５ｃを押下しなかったときには、放出状態へは移行されない。
【００５３】
制御部３２は、スタートレバー１４の操作を検知したときに、メダル検出部１１−１に投入されたメダルの枚数、及び、メダルＢＥＴスイッチ１２あるいはＭＡＸＢＥＴスイッチ１３を用いて賭けられたメダルの投入枚数を確認する。
また、制御部３２は、スタートレバー１４から入力したスタート信号及びストップボタン１５ａ〜１５ｃから入力したストップ信号を入力することにより、回胴制御信号（パルス（駆動）信号）をドラムユニット２０へ送り、回胴２１ａ〜２１ｃの回転を制御させる。
【００５４】
さらに、制御部３２は、メダルＢＥＴスイッチ１２又はＭＡＸＢＥＴスイッチ１３からの投入信号にもとづき、記憶部３１から取り出した貯留枚数を減少させ、この減少した貯留枚数を記憶部３１へ送り記憶させる。
さらにまた、制御部３２は、ストップボタン１５ａ〜１５ｃのいずれかの押下で対応した回胴２１ａ〜２１ｃを停止させる。そして、ドラムユニット２０からのマーカー信号より停止図柄を認識し、この停止図柄が入賞配列か否かを判断する。そして、判断の結果、入賞配列であるときは、入賞の種類に応じた枚数のメダルを払い出す処理を行う。
【００５５】
この制御部３２は、図４に示すように、メイン制御基板３２−１と、サブ制御基板３２−２とを有している。
メイン制御基板３２−１は、メダルの投入の検出，スタートレバー１４の操作の検出，内部抽選，大当たりや中当たりに当選した旨の記憶部３１への記憶，放出条件の抽選，放出条件の抽選結果をサブ制御基板３２−２へ送信，大当たり停止可能制御への移行，ストップボタン１５ａ〜１５ｃの押下の検出，ボーナスゲームの実行などを行う。
【００５６】
これらのうち、放出条件の抽選とは、記憶部３１に記憶されている複数パターンの放出条件の中から、一の放出条件を選択・決定するための抽選をいう。
具体的には、放出条件がストップボタン１５ａ〜１５ｃの押下手順の場合、記憶部３１には、その押下手順が複数記憶されており、メイン制御基板３２−１は、その複数の押下手順の中から一の押下手順を選択する。この選択された押下手順（抽選結果）は、メイン制御基板３２−１からサブ制御基板３２−２へ送られる。
【００５７】
大当たり停止可能制御とは、いわゆる駒すべり制御のことであって、遊技者がストップボタン１５を押下したタイミングで停止する図柄が入賞図柄でないときに、入賞図柄で停止するように回胴をすべらせて停止させる制御をいう。
ただし、すべらせることのできる駒（図柄）の数は、通常上限（例えば、４駒など）が設けられている。
【００５８】
放出状態とは、ストックされた当選に係る特別ゲームが実行される状態や、この特別ゲームの実行のための所定の制御が実行される状態を含んだ状態をいう。
特別ゲームには、ビッグボーナスゲーム（大当たり（例えば「７，７，７」等））やレギュラーボーナスゲーム（中当たり（例えば、「ＢＡＲ，ＢＡＲ，ＢＡＲ」等））などのように、入賞により払い出される遊技媒体の数が比較的多いゲームが含まれる。ただし、小当たりやリプレイなどのように払い出される遊技媒体の数が比較的少ないゲームについても含めることができる。
所定の制御には、例えば、大当たり停止可能制御（後述）などが含まれる。
【００５９】
サブ制御基板３２−２は、メイン制御基板３２−１からの放出条件の取得（受信），総アウト数とスランプグラフとの比較，放出状態への移行判断，放出条件の演出，放出条件と遊技者による操作手順との比較などを実行する。
これらのうち、「総アウト数とスランプグラフとの比較」や「放出状態への移行判断」は、スランプグラフにおいて、その時点での総アウト数に対応する差玉のグラフ上の傾きが上昇方向の傾きか否かを判断することによって行われる。
【００６０】
判断の結果、総アウト数に対応する差玉のグラフ上の傾きが上昇方向（差玉がマイナス（−）方向へ増加する方向）の傾きであるときは、特別ゲームを実行すべきでなく、この場合は放出状態へ移行されない。
一方、総アウト数に対応する差玉のグラフ上の傾きが上昇方向の傾きでないときは、例えば、総アウト数に対応する差玉のグラフ上の傾きが下降方向（差玉がプラス（＋）方向へ増加する方向）の傾きであるため、特別ゲームを実行すべきであり、この場合は放出状態へ移行される。
【００６１】
放出条件の演出とは、放出条件をスロットマシン１上で演出して遊技者に報知することをいう。
具体的には、例えば、放出条件がストップボタン１５ａ〜１５ｃの押下順序の場合であって、その押下順序が、左のストップボタン１５ａ→右のストップボタン１５ｃ→中のストップボタン１５ｂの順序の場合は、この順序で、ストップボタン１５ａ〜１５ｃのＬＥＤを順次点灯させる。
これにより、遊技者は、そのＬＥＤの点灯順序にしたがってストップボタン１５ａ〜１５ｃを押下していけばよいことになるため、放出状態に確実に移行できる。したがって、ホール側は、スロットマシンで特別ゲームの実行時期を制御して、当初予定していた出玉や利益を実績として得ることができる。
【００６２】
また、制御部３２は、出玉設定処理部と、当選ストック処理部と、放出状態移行判断処理部と、放出状態移行処理部とを有している（これら出玉設定処理部、当選ストック処理部、放出状態移行判断処理部、放出状態移行処理部は、図示せず）。
出玉設定処理部は、出玉設定処理（出玉の推移を設定する処理）を実行する。
この出玉設定処理部は、期待値入力部と、スランプグラフ作成部と、スランプグラフ表示部と、出玉設定部とを有している（これら期待値入力部、スランプグラフ作成部、スランプグラフ表示部、出玉設定部は、図示せず）。
【００６３】
期待値入力部は、期待値入力段階（総アウト数あるいは粗利に関する期待値を入力する段階）を実行する。
スランプグラフ作成部は、スランプグラフ作成段階（期待値にもとづいて、スランプグラフを一又は二以上作成する段階）を実行する。
スランプグラフ表示部は、スランプグラフ表示段階（スランプグラフを表示する段階）を実行する。
出玉設定部は、出玉設定段階（一又は二以上のスランプグラフの中から、一のスランプグラフを、出玉の推移として設定する段階）を実行する。
【００６４】
なお、期待値入力段階は、期待値入力部に代えて、スランプグラフ作成・管理部４０の入力部４１に実行させることができる。スランプグラフ作成段階は、スランプグラフ作成部に代えて、スランプグラフ作成・管理部４０の演算部４２等に実行させることができる。スランプグラフ表示段階は、スランプグラフ表示部に代えて、スランプグラフ作成・管理部４０の表示部４４に実行させることができる。出玉設定段階は、出玉設定部に代えて、スランプグラフ作成・管理部４０の入力部４１等に実行させることができる。
当選ストック処理部は、当選ストック処理（内部抽選の結果、特別ゲームに当選すると、この当選した状態を記憶部３１にストックさせる処理）を実行する。
【００６５】
放出状態移行判断処理部は、放出状態移行判断処理（設定された出玉の推移にもとづいて、放出状態へ移行すべきか否かを判断する処理）を実行する。
また、放出状態移行判断処理部は、放出状態移行判断部と、操作手順決定部と、操作手順判断部と、操作手順指示部とを有している（これら放出状態移行判断部、操作手順決定部、操作手順判断部、操作手順指示部は、図示せず）。
【００６６】
放出状態移行判断部は、放出状態移行判断段階（設定された出玉の推移にもとづいて、放出状態へ移行すべきか否かを判断する段階）を実行する。
操作手順決定部は、操作手順決定段階（特別ゲームを実行するための遊技者の操作手順を決定する段階）を実行する。
【００６７】
操作手順判断部は、操作手順判断段階（遊技者による操作が操作手順決定段階で決定された操作手順の通りに行われたか否かを判断する段階）を実行する。
操作手順指示部は、操作手順指示段階（放出状態移行判断段階で放出状態へ移行すべきと判断されると、操作手順判断段階の実行前に、放出状態移行判断処理の操作手順決定段階で決定された操作手順を遊技者に対して指示する段階）を実行する。
【００６８】
放出状態移行処理部は、放出状態移行処理（放出状態移行判断処理で放出状態へ移行すべきと判断されると、放出状態へ移行する処理）を実行する。
また、放出状態移行処理部は、放出状態移行部（図示せず）を有している。
放出状態移行部は、放出状態移行段階（放出状態移行判断処理における放出状態移行判断段階で放出状態へ移行すべきと判断され、かつ、操作手順判断段階で遊技者による操作が操作手順決定段階で決定された操作手順の通りに行われているものと判断されると、放出状態へ移行する段階）を実行する。
【００６９】
スランプグラフ作成・管理手段４０は、図５に示すように、入力部４１と、演算部４２と、記憶部４３と、表示部４４と、通信部４５と、制御部４６とを有している。
入力部４１は、ホール側が所定のデータを入力する部分であって、キーボードなどで構成できる。この入力部４１においては、例えば、総アウト枚数などの期待値や、売上，粗利金額などの営業データの期待値などが入力される。
【００７０】
また、入力部４１においては、複数のスランプグラフの中から、一又は二以上のスランプグラフが選択される。この選択により、一のスランプグラフが、当該スロットマシンで予定されたスランプグラフとして設定される。
スランプグラフ（出玉推移グラフ）とは、総アウト数（投入された遊技媒体数）に対する差玉数の推移・変化（あるいは、投入された遊技媒体と払い出された遊技媒体との差（得失数すなわち差玉）の経時変化）を示したグラフであって、通常、横軸が総アウト数、縦軸が差玉数を表す。このスランプグラフからは、差玉以外にも、例えば、吸込率，遊び率，元手玉数，特賞差玉，特賞時間などを知ることができる。
【００７１】
演算部４２は、入力部４１で入力された期待値にもとづいて、一又は二以上のスランプグラフを作成する。なお、スランプグラフの作成方法については、後述する。
また、演算部４３は、入力部４１で選択されたスランプグラフを、当該スロットマシン１の予定されたスランプグラフとして設定する。
【００７２】
記憶部４３は、入力部４１で入力された期待値を記憶する。また、記憶部４３は、複数のスランプグラフの形状パターンを記憶する。
このスランプグラフの形状パターンとしては、例えば、図６（ａ）〜（ｄ）に示すように、差玉（＋）側と差玉（−）側とを行き来しながら、通常遊技と特別ゲームとを繰り返すもの（同図（ａ）），全体に下降しながら、通常遊技と特別ゲームとを繰り返すもの（同図（ｂ）），全体に上昇しながら、通常遊技と特別ゲームとを繰り返すもの（同図（ｃ）），通常遊技と特別ゲームとを短い周期で繰り返すもの（同図（ｄ））などが挙げられる。
【００７３】
表示部４４は、ブラウン管や液晶ディスプレイなどで構成されており、入力部４１で入力された期待値や、演算部４２で作成されたスランプグラフなどを表示する。なお、スランプグラフは、グラフや表で表示することができる。
通信部４５は、演算部４２で作成されたスランプグラフや、設定されたスランプグラフをメイン制御基板３２−１へ送る。また、通信部４５は、メイン制御基板３２−１から所定のデータを受け取る。
制御部４６は、スランプグラフ作成・管理手段４０を構成する各部を動作制御する。
【００７４】
なお、スランプグラフは、図７に示すように、スロットマシン１の前扉１０に設けられた液晶パネル１８に表示させることができる。
液晶パネル１８は、ＬＣＤ（液晶ディスプレイ）で構成されており、制御手段３０の制御により所定の文字，記号，画像，映像等を表示する。
この液晶パネル１８を透明液晶とした場合は、表示窓１６上にも画像やスランプグラフ等を映し出すことができる。
【００７５】
次に、スランプグラフの作成方法について、図８〜図１３を参照して説明する。
例えば、総アウト数と粗利金額とが、ホール側の店員により、次のように設定されたとする。
総アウト数＝２０，０００［枚］
粗利金額＝１０，０００［円］
これら値が、スランプグラフ作成・管理手段４０の入力部４１で入力される。
【００７６】
これら入力部４１で入力された総アウト数及び粗利金額が、記憶部４３へ送られて記憶される。
演算部４２において、それら総アウト数と粗利金額とが記憶部４３から取り出される。
そして、演算部４２において、次式により、差玉数が計算される。
差玉数［枚］＝粗利金額÷２０                                ・・・（式１）
【００７７】
この式１に粗利金＝１０，０００［円］を代入すると、次式のようになる。
１０，０００÷２０＝５００［枚］                            ・・・（式２）
この求めた差玉数が、別途入力された総アウト数の時になればよい。
このときの総アウト数（２０，０００枚）と差玉数（５００枚）とを示したグラフを図８に示す。
また、差玉数（５００枚）が総アウト数の時になるように設定されたスランプグラフを図９に示す（パターン１（遊び台））。
【００７８】
次いで、演算部４２で、最大差玉数が計算される。最大差玉数は、次式を用いて算出することができる。
今回ＢＢ蓄積数＝総アウト数÷ＢＢ確率                        ・・・（式３）
今回ＲＢ蓄積数＝総アウト数÷ＲＢ確率                        ・・・（式４）
最大差玉＝（（ＢＢ蓄積数＋当日ＢＢ蓄積数）×（特賞ＢＢ出玉）＋
（（ＲＢ蓄積数＋当日ＲＢ蓄積数）×（特賞ＲＢ出玉）
・・・（式５）
【００７９】
さらに、演算部４２が、最小差玉数を計算する。最小差玉数は、次式を用いて算出することができる。
最小差玉数＝総アウト数                                      ・・・（式６）
これら計算した最大差玉数と最小差玉数とにより、出玉範囲が特定される。
この特定される出玉範囲が示されたグラフを図１０に示す。
【００８０】
スランプグラフは、その特定された出玉範囲内で推移するように作成されるが、ここでは、出玉推移が激しいスランプグラフを作成するものとする。
演算部４２において、まず、１／２の抽選でグラフ上下が決定される。
その抽選で「グラフ上」が決定（選択）されたときは、図１１に示すように、出玉範囲の上方でおおよそ推移するように、スランプグラフが作成される。
一方、抽選で「グラフ下」が選択されたときは、図１２に示すように、出玉範囲の下方でおおよそ推移するように、スランプグラフが作成される。
【００８１】
次いで、乱数が生成され（例えば、１００など）、抽選が行われる。そして、この乱数取得値によって次回抽選ゲーム数（アウト枚数）が決定される。
この決定された次回抽選ゲーム数がグラフの範囲内のときは、抽選結果に伴ってスランプグラフが作成される。一方、出玉範囲を超えるときは、出玉範囲に沿ってスランプグラフが作成される。
【００８２】
最終的に差玉数が５００［枚］になるようにしなければならないため、抽選ごとに残り現在の差玉数に目標差玉を足した値と残りアウト数とが比較される。
この比較の結果、次の二つのパターンが得られる。
現在差玉＋目標差玉  ＜  残りアウト数        （パターン１）
この場合は、回収可能なので、抽選結果が実行される。
現在差玉＋目標差玉  ＞  残りアウト数        （パターン２）
この場合は、目標差玉に向けてグラフが作成され、以後の抽選は行われない。
【００８３】
このような方法で作成されたスランプグラフを図１３に示す。
同図においては、１／２抽選で「グラフ上」が決定（選択）され、出玉範囲の上方でおおよそ推移するように作成されている。
そして、最終的に、差玉数が５００［枚］となるように、スランプグラフが作成されている。
【００８４】
なお、上記のスランプグラフ作成方法においては、グラフ角度や数値目盛間隔などが定められていないが、これらは、任意好適な値で設定可能である。
また、本実施形態において、スランプグラフの作成方法は、上記の方法としているが、上記の方法に限るものではなく、総アウト数と粗利金額とにもとづいてスランプグラフを作成可能な方法であれば、どのような方法であってもよい。
【００８５】
次に、出玉の推移を設定する処理（出玉設定処理）について、図１４を参照して説明する。
スロットマシン１のスランプグラフ作成・管理手段４０において、設定モードが「出玉設定モード」に切り替えられると（ステップ１０）、出玉の設定処理が開始される。
【００８６】
スランプグラフ作成・管理手段４０の入力部４１において、総アウト数の期待値が入力され（ステップ１１）、さらに、粗利枚数等の営業データの期待値が入力される（ステップ１２）。
なお、本実施形態においては、それら総アウト数や粗利枚数（営業データ）などを入力する段階を「期待値入力段階」という。
【００８７】
それら入力された総アウト数や粗利枚数等にもとづいて、演算部４２でスランプグラフが作成される（スランプグラフ作成段階、ステップ１３）。
この作成されたスランプグラフが、スランプグラフ作成・管理手段４０の記憶部４３に記憶される。
また、そのスランプグラフが表示部４４に表示される（スランプグラフ表示段階、ステップ１４）。
【００８８】
この表示されたスランプグラフについて、ホール側が入力部４１を操作することにより、一のスランプグラフが選択・設定される（出玉設定段階、ステップ１５）。
この「スランプグラフの選択・設定」には、例えば、「複数のスランプグラフの中から選択」や「表示されているスランプグラフを、そのスロットマシンのスランプグラフとして選択」などが含まれる。
【００８９】
スランプグラフの選択・設定がスランプグラフ作成・管理手段４０で実行された場合は、このスランプグラフ作成・管理手段４０から制御部３２へ、選択・設定された一のスランプグラフが送られる。
出玉設定段階（ステップ１５）で一のスランプグラフが選択・設定されると、出玉設定モードが終了する（ステップ１６）。
【００９０】
次に、本実施形態のスロットマシンにおけるメイン制御基板の動作について、図１５（図１５ａ〜図１５ｄ）を参照して説明する。
メダル投入口１１にメダルが投入されると、この投入されたメダルがメダル検出部１１−１で検出される。そして、メダル検出部１１−１からメイン制御基板３２−１へ検出信号が送られる。この検出信号を受けることで、メイン制御基板３２−１でメダルの投入が検出される（ステップ３０）。
【００９１】
なお、「メダル投入の検出」には、メダル投入口１１に投入されたメダルについての検出の他に、例えば、メダルＢＥＴスイッチ１２の押下を検出することや、ＭＡＸＢＥＴスイッチ１３の押下を検出することが含まれる。この場合、メイン制御基板３２−１は、それらメダルＢＥＴスイッチ１２あるいはＭＡＸＢＥＴスイッチ１３から検出信号を受け取る。
【００９２】
次いで、スタートレバー１４が操作されると、スタートレバー検出部１４−１で、そのスタートレバー１４の操作が検出される。そして、スタートレバー検出部１４−１からメイン制御基板３２−１へ検出信号が送られる。この検出信号を受けることで、メイン制御基板３２−１でスタートレバー１４の操作が検出される（ステップ３１）。
なお、スタートレバー１４が操作されると、回胴２１ａ〜２１ｃの回転が開始する。
【００９３】
スタートレバー１４の操作後、メイン制御基板３２−１で、総アウト数がカウントされる（ステップ３２）。そして、このカウントされた総アウト数が、記憶部３１へ送られて記憶される。
また、総アウト数は、メイン制御基板３２−１からサブ制御基板３２−２へ、送信される（ステップ３３）。
【００９４】
続いて、メイン制御基板３２−１で、内部抽選処理が実行される（ステップ３４）。
内部抽選の結果、大当たりに当選すると（ステップ３５）、記憶部３１の大ストックカウントに１が加えられる（大ストックカウント「＋１」、ステップ３６）。
また、その内部抽選の結果、中当たりに当選すると（ステップ３７）、記憶部３１の中ストックカウントに１が加えられる（中ストックカウント「＋１」、ステップ３８）。
なお、本実施形態においては、大当たりや中当たりの当選がストックされる処理を「当選ストック処理」という。
【００９５】
さらに、メイン制御基板３２−１において、放出条件の抽選が行われる（ステップ３９）。
この放出条件の抽選は、例えば、遊技者の操作手順（具体的には、例えば、三つのストップボタン１５ａ〜１５ｃの押下順序など）を複数用意してこれらを放出条件群とし、これら放出条件群の中から一の放出条件を選択・決定することによって行うことができる。
なお、放出条件が遊技者による操作手順である場合、「放出条件の抽選（ステップ３９）」は、「操作手順決定段階」に相当する。
【００９６】
そして、この放出条件の抽選の結果が、サブ制御基板３２−２へ送信される（ステップ４０）。
さらに、放出条件の抽選の結果は、記憶部３１へも送られて記憶される。
【００９７】
その後、メイン制御基板３２−１において、放出状態にあるか否かが判断される（ステップ４１）。つまり、ステップ５７（後述）で移行された放出状態が現在も続いているか否かが判断される。
判断の結果、放出状態にあるときは、さらに、内部抽選の当選によりストックされた大当たり（あるいは中当たり）のストック数（蓄積数）が１以上か否かが判断される（ステップ４２）。
【００９８】
判断の結果、それら大当たり（あるいは中当たり）のストック数が１以上であるときは、大当たり停止可能制御（あるいは中当たり停止可能制御）へ移行される（ステップ４３）。
一方、ステップ４１で放出状態にないと判断された場合や、ステップ４１で大当たり（あるいは中当たり）のストック数が０であると判断された場合は、大当たり停止可能制御（あるいは中当たり停止可能制御）への移行は行われない。
【００９９】
続いて、回転している回胴２１ａ〜２１ｃを停止するために、遊技者により、いずれかのストップボタン１５が押下されるが、メイン制御基板３２−１において、そのいずれかのストップボタン１５の押下がなされたか否かが判断される（ステップ４４）。
判断の結果、いずれかのストップボタン１５が押下されているときは、その押下されたストップボタン１５の番号が確認され、サブ制御基板３２−２へ送られる（ステップ４５）。また、その確認された番号は、記憶部３１へ送られて記憶される。
【０１００】
次いで、メイン制御基板３２−１において、他のストップボタン１５が押下されると、このストップボタン１５の押下がなされたか否かが判断される（ステップ４６）。
判断の結果、他のストップボタン１５が押下されているときは、その押下されたストップボタン１５の番号が確認され、サブ制御基板３２−２へ送られる（ステップ４７）。また、その確認された番号は、記憶部３１へ送られて記憶される。
【０１０１】
同様に、メイン制御基板３２−１において、さらに他のストップボタン１５が押下されると、このストップボタン１５の押下がなされたか否かが判断される（ステップ４８）。
判断の結果、さらに他のストップボタン１５が押下されているときは、その押下されたストップボタン１５の番号が確認され、サブ制御基板３２−２へ送られる（ステップ４９）。また、その確認された番号は、記憶部３１へ送られて記憶される。
【０１０２】
このようにして三つのストップボタン１５がすべて押下されたと判断されると、続いて、ボーナスゲームが成立したか否かが判断される（ステップ５０）。この判断は、回胴２１ａ〜２１ｃの停止により入賞ライン１７上に現れた図柄が、入賞配列になっているか否かを判断することによって行われる。
判断の結果、ボーナスゲームが成立しているときは、ボーナスゲームが開始され（ステップ５１）、終了後（ステップ５２）、ストック状態へ移行される（ステップ５３）。
【０１０３】
なお、ストック状態とは、内部抽選で当選すると、この当選がストックされる処理が実行される状態をいう。具体的には、「大ストックカウント「＋１」（ステップ３６）」や「中ストックカウント「＋１」（ステップ３８）」などの処理をいう。
このため、放出状態であっても、ストック状態における処理が実行され得る。
【０１０４】
一方、ボーナスゲームが成立していないときは、総アウト数とスランプグラフとが比較される（ステップ５４）。このとき、総アウト数は、記憶部３１から取り出される。
そして、そのスランプグラフにおいて総アウト数に対応する点が上昇方向への傾きとなっているかどうかが判断される（ステップ５５）。
【０１０５】
なお、本実施形態においては、「総アウト数とスランプグラフとの比較処理（ステップ５４）」と「スランプグラフにおいて総アウト数に対応する点が上昇方向への傾きとなっているかどうかの判断処理（ステップ５５）」とを含めて「放出状態移行判断段階」という。
【０１０６】
判断の結果、その点が上昇方向への傾きとなっているときは、続いて、ストップボタン１５の押下順序が放出条件に一致しているか否かが判断される（操作手順判断段階、ステップ５６）。
この判断は、例えば、記憶部３１から取り出された放出条件と、同じく記憶部１３から取り出された、遊技者によるストップボタン１５ａ〜１５ｃの操作手順とを照合することによって行うことができる。
判断の結果、ストップボタン１５の押下順序が放出条件に一致しているときは、放出状態へ移行される（放出状態移行処理（放出状態移行段階）、ステップ５７）。
【０１０７】
一方、ストップボタン１５の押下順序が放出条件に一致していないときは、放出状態への移行は行われない。
その後、スロットマシンの電源がＯＦＦとされない限り（ステップ５４）、ゲームごとに、メイン制御基板３２−１で、以上の処理が繰り返される。
【０１０８】
なお、本実施形態においては、「放出条件の抽選処理（ステップ３９）」と、「総アウト数とスランプグラフとの比較処理（ステップ５４）」から「ストップボタンの押下順序が放出条件に一致しているか否かの判断処理（ステップ５６）」までの処理とを含めて「放出状態移行判断処理」という。
また、この「放出状態移行判断処理」には、後述する「放出条件の演出処理（操作手順指示段階、ステップ７４）」が含まれる。
【０１０９】
次に、本実施形態のスロットマシンにおけるサブ制御基板の動作について、図１６（図１６ａ〜図１６ｂ）を参照して説明する。
スロットマシン１の電源がＯＮされる（ステップ７０）。その後、メイン制御基板３２−１から放出条件が取得されたか否かが判断される（ステップ７１）。この判断処理は、「抽選結果をサブ制御基板へ送信（ステップ４０）」に対応するものである。
判断の結果、取得されていないときは、取得されるまで、ステップ７１の判断処理が繰り返し実行される。
【０１１０】
一方、放出条件が取得されたときは、総アウト数とスランプグラフとが比較される（ステップ７２）。そして、そのスランプグラフにおいて総アウト数に対応する点が上昇方向への傾きとなっているかどうかが判断される（ステップ７３）。
判断の結果、その点が上昇方向への傾きとなっているときは、放出条件が演出される（操作手順指示段階、ステップ７４）。
一方、その点が上昇方向への傾きとなっていないときは、放出条件は演出されない。
なお、本実施形態においては、操作手順指示段階である「放出条件の演出処理（ステップ７４）」が、放出状態移行判断処理に含まれる。
【０１１１】
続いて、押下されたストップボタン１５の番号がメイン制御基板３２−１から取得されたか否かが判断される（ステップ７５）。つまり、メイン制御基板３２−１から送られてきた「押下されたストップボタン１５の番号」をサブ制御基板３２−２が受け取ったか否かが判断される。
判断の結果、押下されたストップボタン１５の番号が取得されていないときは、取得されるまで、ステップ７５の判断処理が繰り返される。
一方、押下されたストップボタン１５の番号が取得されたときは、押下ボタンカウントに１加算される（押下ボタンカウント「＋１」、ステップ７６）。
【０１１２】
そして、この押下されたストップボタン１５の番号が放出条件と同じか否かが判断される（ステップ７７）。
判断の結果、同じでないときは、その旨（押下されたストップボタン１５の番号が放出条件と同じでない旨、すなわち、ストップボタン１５の押下順序にミスがあった旨）が、表示機能を有した手段（例えば、前扉１０に設けられた液晶パネルなど）で表示される（ステップ７８）。
【０１１３】
その後、押下ボタンカウントが「３」か否かが判断される（ステップ７９）。
判断の結果、押下ボタンカウントが「３」でないときは、まだ押下されていないストップボタン１５ａ〜１５ｃがあると判断できるため、「押下されたストップボタン１５の番号の取得判断処理（ステップ７５）」から「押下順序ミスの表示処理（ステップ７８）」までの処理が再度実行される。
一方、押下ボタンカウントが「３」であるときは、すべてのストップボタン１５ａ〜１５ｃが押下されたものと判断できるため、「押下されたストップボタン１５の番号の取得判断処理（ステップ７５）」から「押下順序ミスの表示処理（ステップ７８）」までの処理が終了される。
【０１１４】
なお、ここで、押下順序にミスが無かったか否かを判断することができる（ステップ８０）。そして、この判断の結果、ミスが無かったときは、放出状態移行指示をメイン制御基板３２−１へ送信することができる（ステップ８１）。
一方、ミスがあったときは、メイン制御基板３２−１への放出状態移行指示の送信を行わないようにすることができる。
そして、電源がＯＦＦになるまで（ステップ８２）、「放出条件取得判断処理（ステップ７１）」から「放出状態移行指示送信処理（ステップ８１）」までの処理が繰り返し実行される。
【０１１５】
以上、本発明のスロットマシンの好ましい実施形態について説明したが、本発明に係るスロットマシンは上述した実施形態にのみ限定されるものではなく、本発明の範囲で種々の変更実施が可能であることは言うまでもない。
例えば、上述した実施形態では、スランプグラフ作成・管理手段をスロットマシンの筐体内部に設けているが、そのスランプグラフ作成・管理手段は、スロットマシンの筐体内部に設けることに限定されるものではなく、例えば、前扉の内側や、スロットマシンの外部などに設けることもできる。
【０１１６】
また、上述した実施形態では、放出条件の例として、遊技者によるストップボタンの押下順序を挙げたが、このストップボタンの押下順序に限るものではなく、例えば、回胴の停止図柄などを放出条件とすることもできる。
さらに、上述の実施形態においては、大当たりや中当たりの当選をストックする際、そのストック数に上限は設けていないが、ストック数は上限無しとすることに限るものではなく、上限を設けることもできる。
【０１１７】
また、上述の実施形態においては、制御部３２にメイン制御基板３２−１とサブ制御基板３２−２とを設けてそれぞれ処理を実行させていたが、それらメイン制御基板３２−１とサブ制御基板３２−２とがそれぞれ所定の処理を実行することに限るものではなく、一の制御基板のみ設けて、この一の制御基板にそれらメイン制御基板３２−１やサブ制御基板３２−２が実行していた処理を一括して行わせることもできる。
【０１１８】
さらに、メイン制御基板３２−１が実行していた処理の全部又は一部は、サブ制御基板３２−２に行わせることができ、逆に、サブ制御基板３２−２が実行していた処理の全部又は一部は、メイン制御基板３２−１に行わせることもできる。
そして、それらメイン制御基板３２−１とサブ制御基板３２−２とがそれぞれ実行した処理の結果は、互いに送受信しあうこともできる。
【産業上の利用可能性】
【０１１９】
本発明は、作成したスランプグラフの推移にもとづいて出玉を調整するものであるため、遊技実績がスランプグラフで表すことが可能な遊技台への利用が可能である。
【図面の簡単な説明】
【０１２０】
【図１】本発明のスロットマシンの正面構成を示す正面図である。
【図２】本発明のスロットマシンの内部構成を示す斜視図である。
【図３】本発明のスロットマシンの制御手段及びその周辺の制御系統の構成を示すブロック図である。
【図４】本発明のスロットマシンの制御部の構成を示すブロック図である。
【図５】本発明のスロットマシンのスランプグラフ作成・管理手段の構成を示すブロック図である。
【図６】スランプグラフの作成例を示す説明図である。
【図７】本発明のスロットマシンにおける前扉の他の構成を示す正面図である。
【図８】総アウト数と差玉数とを示すグラフである。
【図９】総アウト数と差玉数とにもとづいて作成されたスランプグラフを示すグラフである。
【図１０】出玉範囲を示すグラフである。
【図１１】「グラフ上」へ推移するスランプグラフを示すグラフである。
【図１２】「グラフ下」へ推移するスランプグラフを示すグラフである。
【図１３】最終的に作成されたスランプグラフの例を示すグラフである。
【図１４】本発明のスロットマシンにおける出玉の設定動作を示すフローチャートである。
【図１５ａ】本発明のスロットマシンにおけるメイン制御基板の動作を示すフローチャートである。
【図１５ｂ】本発明のスロットマシンにおけるメイン制御基板の動作を示すフローチャートである。
【図１５ｃ】本発明のスロットマシンにおけるメイン制御基板の動作を示すフローチャートである。
【図１５ｄ】本発明のスロットマシンにおけるメイン制御基板の動作を示すフローチャートである。
【図１６ａ】本発明のスロットマシンにおけるサブ制御基板の動作を示すフローチャートである。
【図１６ｂ】本発明のスロットマシンにおけるサブ制御基板の動作を示すフローチャートである。
【符号の説明】
【０１２１】
１  スロットマシン
１１  メダル投入口
１２  メダルＢＥＴスイッチ
１３  ＭＡＸＢＥＴスイッチ
１４  スタートレバー
１５ａ〜１５ｃ  ストップボタン
２０  ドラムユニット
２１ａ〜２１ｃ  回胴
３０  制御手段
３１  記憶部
３２  制御部
３２−１  メイン制御基板
３２−２  サブ制御基板
４０  スランプグラフ作成・管理手段
【図１】
2005066101.tif 000003
【図２】
2005066101.tif 000004
【図３】
2005066101.tif 000005
【図４】
2005066101.tif 000006
【図５】
2005066101.tif 000007
【図６】
2005066101.tif 000008
【図７】
2005066101.tif 000009
【図８】
2005066101.tif 000010
【図９】
2005066101.tif 000011
【図１０】
2005066101.tif 000012
【図１１】
2005066101.tif 000013
【図１２】
2005066101.tif 000014
【図１３】
2005066101.tif 000015
【図１４】
2005066101.tif 000016
【図１５ａ】
2005066101.tif 000017
【図１５ｂ】
2005066101.tif 000018
【図１５ｃ】
2005066101.tif 000019
【図１５ｄ】
2005066101.tif 000020
【図１６ａ】
2005066101.tif 000021
【図１６ｂ】
2005066101.tif 000022